(57)【要約】      （修正有）【課題】美観に優れゴミの集積やゴミ袋の収集作業性に優れ、簡易に設置することができ、生ゴミ等を鳥・獣・風による被害をなくし、使用した後は扇を畳むが如く折り畳んで置くことが可能なネットカバーシステムを提供する。【解決手段】略扇状に開閉自在となるようにゴミステーションの幅方向左右対向的に床部に設けた基部支持体に適宜間隔で複数の支点を設け、それぞれの支点より伸び、左右に対向する支柱の先端部間を連結用支柱で互いに連結してコの字形枠体となし、開閉操作性・危険防止のためカバーの開閉がソフトになるように、少なくともネットカバーの最開口部側の支柱に連結用支柱及びネットの自重に抗する方向に自在に作用する如くねじりバネを設け、周りをネットで一体に覆い、本体が扇形を保つ状態で集積したゴミ袋を覆い、またゴミ袋収集作業の時及び使用後は自在に扇を折り畳むことができる鳥・獣・風被害対策用ネットカバーシステム。【選択図】図１
0003157601.tif 000002
【実用新案登録請求の範囲】
【請求項１】
左右の基部支持体に適宜間隔で複数の支点（回転軸）を設け、左右の、一端を固定したコの字形枠体を除き、その固定したコの字形枠体に順次並設したそれぞれ左右の支点より延設した扇状に回転自在なコの字形枠体を設け、上記の複数のコの字形枠体間を連結する如くネットを係架し、少なくとも前記固定したコの字形枠体に対して他端にあるコの字形枠体及びカバーの自重による回転モーメントに抗して、反対方向に釣り合う回転モーメントを担持するねじりバネを設けたゴミステーション折り畳み式ネットカバーシステム。
【考案の詳細な説明】
【技術分野】本考案は、ゴミステーションに設置する鳥・獣・風よりゴミ袋を守るネットカバーで、左右の基部支持体に複数設けられたコの字形枠体にネットを被せた状態で自在に扇状に開き又閉じるように折り畳むことが出来るゴミステーション折り畳み式ネットカバーシステム（以下ネットカバーシステムという）に関する。
【背景技術】
【０００１】都市、郊外等地域の如何にかかわらず鳥・獣・風によりゴミ袋が散乱する問題がありその対策としてゴミ箱、簡易式ネットカバー等、種々の方法が取られていた。しかしゴミ箱の場合集積量は少量で簡易式ネットカバーの場合、ネットの開閉がし難くゴミ袋の集積が困難とか、ゴミ袋の集積スペースが非効率で道路まではみ出すとか、美観が悪いとかさまざまな問題があった。【０００２】
【先行技術文献】
【特許文献】
【０００３】
【特許文献１】  特開２００４−０５１３６４  広報
【特許文献２】  特開２００４−０９１２０２  広報
【特許文献３】  特開２００６−０２１９０４  広報
【考案の概要】
【考案が解決しようとする課題】
【０００４】ネットカバーシステムの構造がシンプルでゴミ袋を集積する時、開口部が手軽に大きく開き、奥側の方から順次集積できる構造で、多くのゴミ袋を効率的に集積できる。又、順次ゴミ袋集積時、手軽にネットを開閉することが出来ることから、ゴミ袋を投入後手軽に閉じることが出来るのでネットを開放したまま放置して鳥・獣・風による被害を受ける課題を解決できる。
【課題を解決するための手段】
【０００５】本考案は左右の基部支持体に適宜間隔で複数の支点（回転軸）を設け、左右の、一端を固定したコの字形枠体を除き、その固定したコの字形枠体に順次並設したそれぞれ左右の支点より延設した扇状に回転自在なコの字形枠体を設け、上記の複数のコの字形枠体間を連結する如くネットを係架し、少なくとも前記固定したコの字形枠体に対して他端にあるコの字形枠体及びカバーの自重による回転モーメントに抗して、反対方向に釣り合う回転モーメントを有するねじりバネを設けたゴミステーション折り畳み式ネットカバーシステムであり、大型のものであっても手軽に開閉を可能とし、又、基部支持体に適宜間隔で支点を設けて複数のコの字形枠体を設けているため、通常の扇形の如く一点を中心とする方式に比べ、特に設置高さ制限がある場合、同じ設置面積において、ゴミ袋集積容積を効率的に大きく確保出来る。又、上記バネの働きでコの字形枠体やカバーの自重を支える事によりソフトタッチでネットカバーシステムの開閉が手軽に安全に出来る。
【考案の効果】
【０００６】上述の如く、本考案のネットカバーシステムは、所定の設置面積及び設置高さ制限内でゴミ集積容積を大きく多くのゴミ袋を集積できる。又、ソフトタッチでネットカバーシステムの開閉が楽に出来ることから、ゴミの集積作業及びゴミの収集を手軽楽に安全に出来る。
【図面の簡単な説明】
【０００７】
【図１】は本考案のネットカバーシステムの閉じた状態を示す斜視図。
【図２】は本考案のネットカバーシステムを開いた状態の側面図及び閉じた状態のイメージ図。
【図３】は本考案のネットカバーシステムの基部支持体の軸受け部の一部で、図２のＢ部の詳細断面図。
【考案を実施する為の形態】
【０００８】ネットカバーシステムにおいて、一般的にその設置高さには制限があり、その制限高さの範囲でゴミ袋の収容容積を大きくする事、又、手軽に安全にネットカバーシステムの開閉ができるものを提供する。本考案は左右の基部支持体に適宜間隔で複数の支点（回転軸）を設け、左右の、一端を固定したコの字形枠体を除き、その固定したコの字形枠体に順次並設したそれぞれ左右の支点より延設した扇状に回転自在なコの字形枠体を設け、上記の複数のコの字形枠体間を連結する如くネットを係架し、少なくとも前記固定したコの字形枠体に対して他端にあるコの字形枠体及びカバーの自重による回転モーメントに抗して、釣り合う反力を有するねじりバネを設けたネットカバーシステムであり、大型のものであっても手軽に開閉が可能であり、又、基部支持体に適宜間隔で支点を設けて複数のコの字形枠体を設けているため、通常の扇形の如く一点を中心とする断面円形の場合の収納容積に比べ、断面略楕円形状であり、特に設置高さに制限がある場合で同じ設置面積において、ゴミ袋集積容積を効率的に大きく確保出来る。又、上記ねじれバネの働きでコの字形枠体やカバーの自重を支える事によりソフトタッチで開閉を手軽に出来る。又、ごみ収集完了後コンパクトに折り畳む事が出来る事から収集作業の効率化はもとより、美観の面でもすぐれたネットカバーシステムである。
【実施例】
【０００９】以下、添付図面に従って一実施例を説明する。図１はネットカバーシステム１を閉じた状態を示す斜視図で、左右の基部支持体２ａ，２ｂそれぞれに適宜間隔で複数の支点（回転軸）Ｃ１，Ｃ２，Ｃ３及びＣ１’，Ｃ２’，Ｃ３’を設け、支点Ｃ１，Ｃ１’より延設された支柱３−１ａと３−１ｂの先端部間に連結用支柱４−１を止着して形成されたコの字形枠体５−１、支点Ｃ２，Ｃ２’より延設された支柱３−２ａと３−２ｂの先端部間に連結用支柱４−２を止着して形成されたコの字形枠体５−２、支点Ｃ３，Ｃ３’より延設された支柱３−３ａと３−３ｂの先端部間に連結用支柱４−３を止着して形成されたコの字形枠体５−３、固定部Ｃｘ，Ｃｘ’で基部支持体２ａおよび２ｂを構成する部品の一つである回転部に固着して延設された支柱３−４ａと３−４ｂの先端部間に連結用支柱４−４を止着して形成されたコの字形枠体５−４を形成し、前記コの字形枠体５−４を除きその固着したコの字形枠体５−４に順次並設したそれぞれ左右の支点より延設した扇状に回転自在な前記コの字形枠体５−１，５−２，５−３、５−４間を連結する如くネット６を係架し、少なくとも前記固定したコの字形枠体５−４に対向する他端のコの字形枠体５−１の自重による回転モーメントに抗して、釣り合う回転モーメントを有するねじりバネを設けたネットカバーシステム１であり、大型のネットカバーシステム１に対しても手軽に開閉が可能であり又、基部支持体２ａ，２ｂに適宜間隔で支点を設けて複数のコの字形枠体を設けているため、通常の扇形の如く一点を中心とする円形の開閉方式に比べ、本考案の場合は略楕円形開閉方式となることから、高さ制限のある設置場所において、ゴミ袋集積容積を効率的に大きく確保出来る。図２にネットカバーシステムを開放した状態の側面図を示す。図中Ａ‥‥Ａ’は高さ制限ラインを示す。図２においてネットカバーシステムを開放した時の支柱３−１ａ，３−２ａ，３−３ａの先端部Ｓ１，Ｓ２，Ｓ３はネットカバーシステムを閉じた時（ネットカバーシステムでゴミ袋を囲った時）、同様にネット６との連結によりそれぞれＴ１，Ｔ２，Ｔ３へと回動する。この時それぞれの支柱の支点Ｃ１，Ｃ２，Ｃ３と支柱固定部中心Ｃｘの位置が図中に示す如くＣ１−Ｃ２，Ｃ２−Ｃ３，Ｃ３−Ｃｘの如く適宜ずらす事によって扇形に開閉する時、略楕円状になり内容積を大きく出来る事から制限高さの制約内でゴミ集積容積を大きくしている。ちなみにそれぞれの支柱の支点を通常方式のように一点であるＣｘの場合、前記Ｓ１，Ｓ２，Ｓ３がそれぞれに対向してＴ１’，Ｔ２’，Ｔ３’へと回動することとなり、本考案の場合に比較して斜線部の断面積差Ｗに相当する容積が少ない、但し本考案の場合高さ制限はクリヤーするものの図中Ｃ１−Ｃｘ間の長さ分長くなる欠点はあるが、設置条件によってはゴミ収容容積の拡大ができる点メリットが大きいと言える。次に図２の支点Ｃ１，Ｃ２，Ｃ３及びＣ１’，Ｃ２’，Ｃ３’の内、代表してＣ２のＢ部のネットカバーシステム基部支持体の軸受け部の詳細断面図を図３に示す。図３において基部支持体２ａはコの字形ブロック１３に、先端ねじ付ボルト８をベアリング（或いはメタル）７ａ、７ｂ及びねじりスプリングの内周受けブロック１４を挿入した状態で止着する。ベアリング（或いはメタル）７ａ、７ｂそれぞれの外周面に金属リング１１ａ，１１ｂをそれぞれ嵌合止着し、その金属リング１１ａ，１１ｂに溶接等の適宜手段にて支柱３−２ａを止着部１２ａ、１２ｂに固着延設し、前記支柱３−２ａの底部に設けたスプリング係止孔９ａ’にねじりスプリング９の一端の引掛部９ａを係合し、一方ねじりスプリング９の他端の引掛部９ｂをコの字形ブロック１３に設けた係止孔９ｂ’に係合する。尚、コの字形ブロック１３、ベアリング（或いはメタル）７ａ，７ｂそれぞれの側部間に滑り性を助長するワッシャ１０を設ける。以上によりコの字形ブロック１３に対して支柱３−２ａはねじりスプリング９のねじり反力を受けつつ自在に回動する。又、支柱３−１ａ，３−２ａ，３−３ａ及び３−１ａ’，３−２ａ’，３−３ａ’も前記と同じようにねじりスプリングを設けた場合、同様の作動をする。【００１０】さらに詳述すれば図１及び図２に記載した基部支持体２ａ，２ｂの支点Ｃ１，Ｃ２，Ｃ３、ＣｘあるいはＣ１’，Ｃ２’，Ｃ３’，Ｃｘ’のそれぞれのピッチ間隔を適宜選択する事によって、ネットカバーシステム１の設置場所に適した形状の選択ができる。ねじりスプリング９は主としてコの字形枠体５−１（必要に応じて５−２，５−３）の自重及びネットの重量による、ネットで連結された複数のコの字形枠体の複合回転モーメントに抗する方向に反力を生ずる如く設ける。【００１１】上記自重及びネット重量による回転モーメントはコの字形枠体の地平線との角度により定まる。各スプリングのばね定数を適宜選択することが求められる。即ちスプリング設計の際、許容応力内で出来るだけバネ定数を小さくする事が望ましい。それによってねじりスプリングの反力によってコの字形枠体５−１を急速に跳ね上げることなく、緩やかな動きをするように設計することによってカバーの開閉がソフトで操作性に優れ、又安全でゴミ集積容積も大きく、簡便に折りたたむことが出来る事、優れた鳥・獣・風被害対策用ネットカバーシステム。
【符号の説明】
【００１３】  １・・・ネットカバーシステム    ２ａ，２ｂ・・・基部支持体    ３−１ａ，３−２ａ，３−３ａ，３−４ａ，３−１ｂ，３−２ｂ，３−３ｂ，３−４ｂ，３−１ａ’，３−２ａ’，３−３ａ’・・・支柱    ４−１，４−２，４−３，４−４・・・連結用支柱    ５−１，５−２，５−３，５−４・・・コの字形枠体    ６・・・ネット    ７ａ、７ｂ・・・ベアリング（或いはメタル）    ８・・・先端ねじ付ボルト    ９・・・ねじりスプリング    ９ａ・・・ねじりスプリング９の一端の引掛部    ９ｂ・・・ねじりスプリング９の他端の引掛部    ９ａ’，９ｂ’・・・スプリング係止孔    １０・・・ワッシャ    １１ａ，１１ｂ・・・金属リング    １２・・・金属リングと支柱３−２ａとの止着部    １３・・・コの字形ブロック    １４・・・ねじりスプリングの内周受けブロック    Ｃ１、Ｃ２，Ｃ３、Ｃ１’，Ｃ２’，Ｃ３’・・支柱の支点    Ｃｘ，Ｃｘ’・・・支柱固定部    Ｓ１，Ｓ２，Ｓ３・・・ネットカバーシステムを開放した時の支柱の先端部    Ｔ１，Ｔ２，Ｔ３・・・ネットカバーシステムを閉じた時の支柱の先端部    Ｔ１’，Ｔ２’，Ｔ３’・・・支柱の支点が一点でカバーシステムを閉じた場合の支柱の先端部    Ｗ・・・断面積差
【図１】
0003157601.tif 000003
【図２】
0003157601.tif 000004
【図３】
0003157601.tif 000005